(57)【要約】【課題】蓋体が容器本体に対し妄りに開蓋しないように被着でき、開蓋操作の際には蓋体に割れを生じさせることなく開蓋できる発泡樹脂製容器を提供する。【解決手段】容器本体１０の各辺部に切り欠き部２３が形成され、蓋体３０の周縁部下面の各辺部に垂下片３３が設けられ、容器本体１０と蓋体３０の嵌合構造として、容器本体１０の各コーナー部の上面に嵌合凸部２２が形成されるとともに、蓋体３０の各コーナー部の下面に嵌合凸部２２が嵌合する嵌合凹部３２が設けられ、少なくとも一辺部の切り欠き部２３と垂下片３３との嵌合部外側には、一方のコーナー部寄りの位置に開蓋操作時の指掛用凹部４２が設けられてなる。【選択図】図４
0003193796.tif 000002
【実用新案登録請求の範囲】
【請求項１】
上方に開口する平面矩形の発泡樹脂製の容器本体と、容器本体に被着自在な発泡樹脂製の蓋体とからなる容器であって、
容器本体の各辺部の中央部に切り欠き部が形成されるとともに、これに対応する蓋体の周縁部下面の各辺部に前記切り欠き部に嵌合する垂下片が設けられてなり、容器本体の開口端部と蓋体の周縁部との嵌合構造として、容器本体の各コーナー部の上面に嵌合凸部が形成されるとともに、蓋体の各コーナー部の下面に前記嵌合凸部が嵌合する嵌合凹部が設けられ、少なくとも一辺部の切り欠き部と垂下片との嵌合部外側には、一方のコーナー部寄りの位置に開蓋時の指掛用凹部が設けられてなることを特徴とする発泡樹脂製容器。
【請求項２】
容器本体と蓋体のコーナー部の嵌合凸部と嵌合凹部には、互いの嵌合面に、弾力的に嵌合できて、かつ嵌合状態において抜脱方向に係合する係合凸部が設けられてなる請求項１に記載の発泡樹脂製容器。
【請求項３】
各辺部の容器本体の切り欠き部の端縁部分と蓋体の垂下片の端縁部分とが、相欠き形状の段部と凸縁とにより嵌合可能に設けられ、嵌合部外側の段部の側に指掛用凹部が設けられてなる請求項１又は２に記載の発泡樹脂製容器。
【請求項４】
前記切り欠き部の端縁部分と前記垂下片の端縁部分とが、垂下片の端縁部分の外側に段部、内側に凸縁を有する相欠き形状をなし、垂下片の段部外側に指掛用凹部が設けられてなる請求項３に記載の発泡樹脂製容器。
【請求項５】
蓋体の相対向する両辺部の垂下片の幅方向中央から一方のコーナー部寄りにずれた線対称の位置に前記指掛用凹部が設けられてなる請求項１〜４のいずれか１項に記載の発泡樹脂製容器。
【請求項６】
前記切り欠き部の端縁部分における凸縁の前記指掛用凹部途の対応位置に、位置合わせのための凹部が形成されてなる請求項４または５に記載の発泡樹脂製容器。
【請求項７】
収納物が果菜類であって、容器本体内に果菜類を収納して蓋体を被着した状態で、容器本体の一側壁が底になるように横向きに立てた状態にして物流に供される容器であり、横向に立てた状態において内奥側になる容器本体の底部内面と、これに対向する蓋体の内面には、寝かせて収納される果菜類の穂先部分を除く茎部を受け又は押さえる凸面部が設けられてなる請求項１〜６のいずれか１項に記載の発泡樹脂製容器。
【考案の詳細な説明】
【技術分野】
【０００１】
本考案は、主としてアスパラガス等の各種果菜類の輸送、保管、特には保冷状態での輸送のための保冷容器として好適に使用される発泡樹脂製容器に関するものである。
【背景技術】
【０００２】
従来より、アスパラガス等の果菜類の保管及び輸送に際しては、断熱性のある発泡樹脂製の容器本体と蓋体とからなる容器が使用され、通常、前記果菜類は形状維持等の理由から上下方向を揃えて立てた状態で収容されていた。例えば、アスパラガスは、容器への収納後の輸送中においても僅かに成長することから、穂先の側を上にして立てた状態を保持するようにして取り扱われる。
【０００３】
果菜類を立てた状態で容器内に順次収納するのは、収納作業に手数が掛かり、かつ果菜類同士が擦れたりして傷みが生じる等の問題がある。そのため、アスパラガス等の果菜類を、一旦横方向で揃えて容器本体内に寝かせて収納し蓋体を被着した後、該果菜類の基部側の容器本体の一側壁が底になるように横向きにして立てた状態で、保管や輸送等の物流に供するようにした容器が提案されている（特許文献１〜３）。
【０００４】
かかる容器の場合、容器本体の開口部に被着される蓋体は、横向に立てた状態においても妄りに開くことがないことが求められる。そのため、容器本体と蓋体との嵌合構造としては比較的強い嵌合構造が採用される。通常、容器本体の各辺部の開口端部に、果菜類を収納した容器本体を段積みした状態での予冷（例えば、差圧予冷）が可能なように切り欠き部が設けられていることもあり、容器本体と蓋体の各コーナー部に比較的強固に嵌合する嵌合構造が設けられることが多い。例えば、発泡体特有の弾性により弾力的に嵌合できて、かつ抜脱方向に係止する逆テーパ等の係合凸部を含む嵌合構造が設けられる。この場合、蓋体のコーナー部は、容器製作上の関係からできるだけフラットな形状とされることがであることが求められる。
【０００５】
ところで、容器本体の開口端部に対する蓋体の嵌合強度が強くなるほど、開蓋操作の際に蓋体を持ち上げて嵌合を離脱させるのに強い力が必要であり、また蓋体に指をかけて持ち上げるための切欠部が必要である。この開蓋操作のために、例えば特許文献１のように、前記切り欠き部と垂下片の嵌合部の容器幅方向中央部に開蓋操作用の切欠部を設けておくことが考えられている。この場合、切欠部に指を掛けて蓋体を持ち上げようとしたときに、コーナー部の嵌合構造の部分から離れた位置で抜脱方向の力をかけることになり、この結果、コーナー部と蓋体辺部の垂下片を有する部分との境界部分に強い力がかかり、この部分で割れが生じる虞がある。また、特許文献２のように、開蓋操作用の切欠部をコーナー部に設けた場合には、蓋体のコーナー部は垂下片を有さず比較的フラットであるため、該コーナー部を持ち上げようとしたときに、該コーナー部が撓み変形し、遂には割れが生じる虞がある。
【先行技術文献】
【特許文献】
【０００６】
【特許文献１】特開２００２−１０４５４２号公報
【特許文献２】特開２０１０−７６８１６号公報
【特許文献３】特許第４５５８１０１号公報
【考案の概要】
【考案が解決しようとする課題】
【０００７】
本考案は、上記に鑑みてなしたものであり、主としてアスパラガス等の果菜類を収納して蓋体を被着し、例えば横向きに立てた状態にして輸送、保管等の物流に供する容器において、蓋体が容器本体に対しコーナー部の嵌合構造により妄りに開蓋しないように保持でき、しかも開蓋操作の際には蓋体に割れを生じさせることなく蓋体を持ち上げることで容易に開蓋操作できる発泡樹脂製容器を提供するものである。
【課題を解決するための手段】
【０００８】
上記の課題を解決する本考案の発泡樹脂製容器は、上方に開口する平面矩形の発泡樹脂製の容器本体と、容器本体に被着自在な発泡樹脂製の蓋体とからなる容器であって、容器本体の各辺部の中央部に切り欠き部が形成されるとともに、これに対応する蓋体の周縁部下面の各辺部に前記切り欠き部に嵌合する垂下片が設けられてなり、容器本体の開口端部と蓋体の周縁部との嵌合構造として、容器本体の各コーナー部の上面に嵌合凸部が形成されるとともに、蓋体の各コーナー部の下面に前記嵌合凸部が嵌合する嵌合凹部が設けられ、少なくとも一辺部の切り欠き部と垂下片との嵌合部外側には、一方のコーナー部寄りの位置に開蓋操作時の指掛用凹部が設けられてなることを特徴とする。
【０００９】
この発泡樹脂製容器によれば、蓋体を被着した状態においては、容器本体のコーナー部上面の嵌合凸部と蓋体のコーナー部下面の嵌合凹部との嵌合により、閉蓋状態を良好に保持できる。また、開蓋操作の際には、少なくとも一辺部の前記切り欠き部と垂下片との嵌合部外側における一方のコーナー部寄りの位置、つまりはコーナー部の嵌合凸部と嵌合凹部とによる嵌合構造に近い位置の指掛用凹部に指を掛けて蓋体を持ち上げることにより、コーナー部の嵌合構造の部分に効果的に持ち上げ力を作用させることができ、コーナー部の嵌合構造を比較的容易に離脱させることができる。しかも、蓋体の辺部を垂下片の部分で持ち上げることになるため、蓋体のコーナー部が撓み変形して割れが生じたりすることもない。
【００１０】
前記の発泡樹脂製容器において、容器本体と蓋体のコーナー部の嵌合凸部と嵌合凹部には、互いの嵌合面に、弾力的に嵌合でき、かつ嵌合状態において抜脱方向に係合する係合凸部が設けられてなるものとする。これにより、容器本体と蓋体とをコーナー部で容易に抜脱しないように嵌合でき、蓋体被着状態を良好に保持できる。
【００１１】
前記の発泡樹脂製容器において、各辺部の容器本体の切り欠き部の端縁部分と蓋体の垂下片の端縁部分とが、相欠き形状の段部と凸縁とにより嵌合可能に設けられ、嵌合部外側の段部の側に指掛用凹部が設けられてなるものとする。好ましくは、前記切り欠き部の端縁部分と前記垂下片の端縁部分とが、垂下片の端縁部分の外側に段部、内側に凸縁を有する相欠き形状をなし、垂下片の段部外側に指掛用凹部が設けられてなるものとする。これにより、容器本体の側壁又は蓋体の垂下片とし十分な厚みを有する個所に指掛用凹部を形成しておくことができる。
【００１２】
前記の発泡樹脂製容器において、前記切り欠き部の端縁部分における凸縁の前記指掛用凹部との対応位置に、位置合わせのための凹部が形成されてなるものとすることができる。これにより、例えば、横向きに立てた状態で物流に供される容器のために方向性を有する蓋体を、容器本体に被着する際、前記指掛用凹部を前記凹部に合わせることで、蓋体の方向を合わせることができる。
【００１３】
前記の発泡樹脂製容器において、収納物が果菜類であって、容器本体内に果菜類を収納して蓋体を被着した状態で、容器本体の一側壁が底になるように横向きに立てた状態にして物流に供される容器であり、横向に立てた状態において内奥側になる容器本体の底部内面と、これに対向する蓋体の内面には、寝かせて収納される果菜類の穂先部分を除く茎部を受け又は押さえる凸面部が設けられてなるものとすることができる。これにより、容器を立てた状態においても、収納されているアスパラガス等の果菜類を安定性よく保持できる。
【考案の効果】
【００１４】
上記したように本考案の発泡樹脂製容器は、蓋体を容器本体に対し被着した状態において、各コーナー部の嵌合構造、特には係合手段を有する嵌合構造により比較的強く嵌合することで、妄りに開蓋する虞のない安定性のよい被着状態を保持できる。しかも、開蓋操作の際には、一辺部における容器本体の切り欠き部と蓋体の垂下片との嵌合部外側のコーナー部寄りの位置、すなわちコーナー部の嵌合構造に近い位置の指掛用凹部に指を掛けて蓋体を持ち上げることで前記嵌合構造による嵌合を容易に離脱させることができ、蓋体に割れを生じさせることなく開蓋操作することができる。そのため、例えばアスパラガス等の果菜類を収納して蓋体を被着し、横向きに立てた状態にして輸送、保管等の物流に供する容器に好適に使用することができる。
【図面の簡単な説明】
【００１５】
【図１】本考案の発泡樹脂製容器の１実施例を示す容器本体と蓋体の斜視図である。
【図２】裏返した蓋体の押さえ部材装着前の斜視図である。
【図３】容器本体と蓋体の正面図である。
【図４】容器本体と蓋体の側面図である。
【図５】容器本体と蓋体の断面図である。
【図６】前図Ｌ１−Ｌ１線の断面図である。
【図７】容器本体の平面図（ａ）と底面図（ｂ）である。
【図８】蓋体の平面図（ａ）と底面図（ｂ）である。
【図９】容器本体に蓋体を被着した状態の断面図である。
【図１０】果菜類を収納して横向きに立てた状態の断面図である。
【考案を実施するための形態】
【００１６】
次に本考案の実施の形態を図面に示す実施例に基づいて説明する。
【００１７】
この実施例の発泡樹脂製容器Ａ（単に容器Ａともいう）は、主に保冷容器等として使用する発泡樹脂を素材として型成形される容器であって、図に示すように、基本的に上方に開口する平面正方形や長方形等の平面矩形の容器本体１０と、該容器本体１０の開口端部１０ａに対し嵌合被着される蓋体３０とよりなる。
【００１８】
この発泡樹脂製容器Ａは、前記容器本体１０の開口を上方に向けた状態で、内部に果菜類Ｂとして例えばアスパラガスを揃えて収納し、蓋体３０を被着した後、前記果菜類Ｂの茎部下端側に対向する前記容器本体１０の一側壁１２ａが底になるように横向きに立てた状態にし、収納したアスパラガス等の果菜類Ｂを立て姿勢に保持して、保管や輸送等の物流に供することができるように構成されている。
【００１９】
前記容器本体１０は、底部１１と四方の側壁、例えば短辺側の相対向する側壁１２ａ，１２ｂと長辺側の相対向する側壁１３ａ，１３ｂとからなり、果菜類Ｂを容器長手方向に揃えて収納するように形成されている。前記容器本体１０の側壁１２ａ，１２ｂの外面の少なくとも一部は、抜き勾配のないフラット面をなしており、容器Ａを横向きに立てた状態で段積みできるようになっている。また、収納した果菜類Ｂの茎部下端側に対向する短辺側の前記一側壁１２ａの内面には、少なくとも容器深さ方向、好ましくは図のように容器深さ方向と横方向の溝１４により画された複数の凸起１５が形成されており、容器Ａを立てた状態において果菜類Ｂの茎部下端が凸起１５に当接するようになっている。
【００２０】
図示する実施例の容器本体１０の場合、前記一側壁１２ａと対向する側壁１２ｂ、すなわち収納した果菜類Ｂの穂先側が対向する側壁１２ｂの内面１２ｂ’は、該側壁内面１２ｂ’の部分に生じる結露水を内奧側に伝い流せるように、容器本体１０の開口側から内奥側に向かって内方に傾斜した傾斜面をなしている。符号１６は、前記側壁内面１２ｂ’の傾斜方向に沿う溝であり、内奧側面（底部内面）にまで連続して形成されている。
【００２１】
また、前記容器本体１０の開口側よりみて内奥側の底部１１の内面には、前記側壁１２ｂの内面１２ｂ’との間に少なくとも果菜類Ｂの穂先部分を収納できる所要の間隔をあけて、収納される果菜類Ｂの形態に応じて主として茎部の受け支えるための凸面部１７が設けられている。この凸面部１７としては、収納される果菜類Ｂその他の収納物の種類に応じた任意の形状にして実施できる。例えば、図の場合は、果菜類Ｂが茎部下端側ほど太くなっているアスパラガス等の収納に適するように、果菜類Ｂの茎部の下部を受ける側ほど低く、つまり前記一側壁１２ａの側ほど低く傾斜した凸面部１７とされており、容器Ａを横向きに立てた状態においてアスパラガス等の果菜類Ｂを程好い立て姿勢に保持できるようになっている。
【００２２】
前記凸面部１７は、前記側壁内面１２ｂ’と対向する側の端面１７ａが底部１１から凸面部１７の前面に曲面で連続するとともに、容器幅方向中央部に向かって傾斜している。さらに、前記凸面部１７には、前記端面１７ａの容器幅方向中央部から前記一側壁１２ａにまで連続する凹溝１８が形成されており、前記側壁１２ｂから伝い流れる結露水を凸面部１７の端面１７ａの部分から前記凹溝１８を通して側壁１２ａの側に導くように形成されている。前記の凹溝１８は、凸面部１７の幅方向に間隔を開けて複数形成しておくこともできる。
【００２３】
また、前記容器本体１０の長辺側の側壁１３ａ，１３ｂの内面における幅方向中央部の領域が上下方向の凹条１９と凸条２０とによる波形凹凸状をなしており、上下方向の凸条２０が、段積み荷重等の上方からの荷重や側壁１３ａ，１３ｂの内外方向への曲げ荷重に対して、補強リブ的な作用を果たすようになっている。
【００２４】
前記蓋体３０には、前記容器本体１０の開口端部１０ａに嵌合する周縁部３０ａを除く内方部３１に、前記容器本体１０の底部１１の凸面部１７と対向して、収納した果菜類Ｂの茎部の押さえあるいは支えとなるように凸面部３７が突出形成されている。この凸面部３７の形態についても、収納される果菜類Ｂの種類に応じた形態にできるが、基本的には、前記容器本体１０の凸面部１７と対応した形状で同様の突出形態をなしており、容器本体１０に対する蓋体３０の被着状態において側壁１２ｂの内面１２ｂ’との間に間隔をおいて前記凸面部１７と対称の配置にあり、かつ果菜類Ｂの茎部の下部を受ける前記一側壁１２ａの側ほど低く傾斜した形状の凸面部とされている。さらに前記凸面部３７の端面３７ａが幅方向中央部に向かって傾斜するとともに、幅方向中央部には前記凹溝１８に対応する凹溝３８も同様に形成され、結露水を凹溝３８を通じて側壁１２ａの側に流せるようになっている。
【００２５】
そして、前記容器本体１０と蓋体３０との嵌合構造として、前記容器本体１０の各コーナー部の上面には平面Ｌ形の嵌合凸部２２が形成され、蓋体３０の各コーナー部の下面には前記嵌合凸部２２に嵌合する嵌合凹部３２が設けられている。図の場合、前記嵌合凸部２２の側面と前記嵌合凹部３２の内側面には、逆テーパ等のアンダーカットの形状で弾力的に嵌合できかつ嵌合状態において抜脱方向に係合する係合凸部２２ａ，３２ａが設けられており、これにより、嵌合状態で容器Ａを横向に立てたときにも妄りに蓋体３０が外れないようになっている。
【００２６】
また、前記容器本体１０の開口端部１０ａの各辺部の中央部に切り欠き部２３が形成されるとともに、これに対応する蓋体３０の周縁部３０ａの各辺部の下面中央部に前記切り欠き部２３に嵌合する垂下片３３が設けられている。さらに前記各切り欠き部２３の端縁部分と前記垂下片３３の端縁部分とが、相欠き形状の凸縁２４、３４と段部２５，３５とにより嵌合可能に設けられている。図の場合は、前記切り欠き部２３の端縁部分の外側に凸縁２４、内側に段部２５、垂下片３３の端縁部分の外側に段部３５、内側に凸縁３４を有する相欠き形状をなしている。これにより、果菜類Ｂを収納した容器本体１０を積み重ねて予冷する際には、各容器本体１０をずらせたりせずに切り欠き部２３から冷気を取り込むことができ、かつ、蓋体３０を被着した状態においては、両者の前記凸縁２４，３４と前記段部３５，２５とが相互に嵌合することで、密封状態を良好に保持できるようになっている。
【００２７】
本考案の場合、少なくとも一辺部の前記切り欠き部２３と垂下片３３との嵌合部外側、好ましくは縦横の少なくとも一方の相対向する両辺部（図の場合四方の各辺部）の前記切り欠き部２３と垂下片３３との嵌合部外側には、容器幅方向センター位置から一方のコーナー部寄りの位置、特に相対向両辺部で線対称となる位置に、開蓋操作時の指掛用凹部４２が設けられている。これにより、開蓋操作の際に一つのコーナー部の嵌合凸部２２と嵌合凹部３２とによる嵌合構造に近い個所で蓋体３０を持ち上げて、嵌合を離脱させることができるようになっている。
【００２８】
前記指掛用凹部４２は、前記切り欠き部２３と垂下片３３とが、図のように垂下片３３の端縁部分の外側に段部３５、内側に凸縁３４を有する相欠き形状をなしている場合、該垂下片３３の段部３５の外側に切欠形成した前記指掛用凹部４２を設けるのが、垂下片３３として十分な厚みを有する個所を切欠することになり、切欠による端縁部分の弱体化を抑制でき好ましい。
【００２９】
なお、蓋体３０の垂下片３３に指掛用凹部４２を設ける場合、容器本体１０の切り欠き部２３の端縁部分には、指掛用の凹部を形成する必要はないが、図のように、少なくとも一辺部、好ましくは縦横の少なくとも一方の相対向する両辺部（図の場合四方の各辺部）の切り欠き部２３の凸縁２４における前記指掛用凹部４２との対応位置、すなわち容器幅方向センターから一方のコーナー部寄りの位置に、位置合わせのための凹部２６を設けておくのがよい。この場合も、前記凹部２６は相対向両辺部では線対称の位置に設けられる。これにより、例えば、横向きに立てた状態で物流に供される容器のために方向性を有した構造の蓋体３０を容器本体１０に被着する際、前記指掛用凹部４２を前記凹部２６の位置に合わせることで、蓋体３０の方向を合わせることができる。
【００３０】
さらに図示を省略するが、前記蓋体３０の上面に、横向に立てたときの上下を示す矢印等の表示を設けるとともに、前記容器本体１０の凹部２６の個所にも同様の表示羽を設けておくことにより、容器本体１０に対する蓋体３０の方向の確認が容易になり好ましい。前記の表示は、印刷表示であっても成形による凹凸による表示であってもよい。
【００３１】
さらに図示する実施例の場合、前記蓋体３０の凸面部３７には、横向きに立てた状態の高さ方向の中間部領域、好ましくはやや端面３７ａ側の位置に、容器幅方向に延びる溝状をなす凹部３９が設けられ、該凹部３９に対し別体の発泡樹脂製の押さえ部材４０が嵌合装着自在に設けられている。前記のように凸面部３７に結露水を流す凹溝３８が形成されている場合は、図のように該凹溝３８を挟んで両側に溝状の凹部３９が設けられる。前記押さえ部材４０は、前記両側の凹部３９に対し一部が嵌合可能でかつ嵌合状態において前記凸面部３７より容器内方に突出状態となる形態、例えば図のように比較的単純な形状の板状をなしており、容器本体１０内に果菜類Ｂを収納して蓋体３０を被着したとき、前記凹部３９に嵌合した前記押さえ部材４０により果菜類Ｂを押さえるように構成されている。前記凹溝３８を有する場合、前記凹部３９を凹溝３８より浅くしておくことにより、押さえ部材４０を凹部３９の底部位置まで嵌合した状態においても、前記凹溝３８の底部側に結露水を導く空隙を保有できる。
【００３２】
前記凹部３９は、開口側ほど拡がったテーパ状をなし、前記凹部３９に対する前記押さえ部材４０の嵌合位置をテーパ面と発泡樹脂の弾性変形により調整可能にしておくのが、収納した果菜類Ｂの量や嵩に応じて蓋体被操作の前に押さえ部材４０の突出量を容易に調整することができ、好ましい。
【００３３】
なお、押さえ部材４０としては、前記凹部３９の形状や押さえ対象の果菜類Ｂの種類に応じて種々の形態での実施が可能であるが、実施上は図のような単純な形状でよく、例えば発泡樹脂の板状のカット品を用いることができ、容易に実施できる。また、前記凹部３９は、図のような溝状をなすものに限らず、凸面部３７における容器幅方向中央部の凹溝３８を挟んで両側部分にそれぞれ独立した凹部を設け（図示せず）、該凹部に前記押さえ部材４０の一部を嵌合し装着するようにして実施することもできる。
【００３４】
図の場合、前記容器本体１０の側壁１２ｂに対応する辺部の側の前記垂下片３３は、横向に立てた状態において該垂下片３３の内面に生じる結露水を蓋体３０の内方部下面に伝い流せるように、該垂下片３３の内側から蓋体３０の内方部下面に連続する傾斜面とされ、該垂下片３３の内面から内方部下面に連続する溝３６が形成されており、蓋体３０の垂下片３３の内面に生じる結露水や、前記側壁１２ｂから蓋体３０側に伝い流れる結露水を下方に導き易くなっている。
【００３５】
前記容器本体１０及び蓋体３０の構成材である発泡樹脂としては、例えば、スチレン改質ポリオレフィン系樹脂、ポリスチレン、ハイインパクトポリスチレン、スチレン−エチレン共重合体、スチレン−無水マレイン酸共重合体、スチレン−アクリロニトリル共重合体等のポリスチレン系樹脂、あるいはポリエチレン、ポリプロピレン、エチレン−酢酸ビニル共重合体等のポリオレフィン系樹脂、あるいはポリエチレンテレフタレート等のポリエステル系樹脂等の各種の熱可塑性の合成樹脂の発泡体を用いることができる。中でも、スチレン改質ポリオレフィン系樹脂のビーズ発泡による成形体が好適に用いられる。前記発泡体の発泡倍率は１０〜７０倍が好ましい。
【００３６】
上記した本考案の実施例の発泡樹脂製容器Ａによれば、上向きに開口している容器本体１０内に、アスパラガス等の果菜類Ｂを、上下方向を揃えて、例えばアスパラガスの場合は穂先の側を揃えて、茎部下端側を一側壁１２ａの側にして、底部１１に有する凸面部１７上に茎部を置くように寝かせて収納する。この状態で必要に応じて予冷を行って、あるいは予冷しないで、蓋体３０を容器本体１０の開口端部１０ａに対し嵌合し被着する。すなわち、蓋体３０の各辺部の垂下片３３を容器本体１０の各辺部の切り欠き部２３に嵌合するとともに、各コーナー部において容器本体１０の嵌合凸部２２と、蓋体３０の嵌合凹部３２とを弾性力を利用して嵌合する。特に、前記嵌合凸部２２の側面と嵌合凹部３２の内側面とに有する係合凸部２２ａ，３２ａを係合した嵌合状態に保持する。なお、この蓋体３０の被着操作の際、蓋体３０の垂下片３３に有する指掛用凹部４２を容器本体１０の切り欠き部２３の凸縁２４に有する凹部２６の位置に合わせることで、方向性を有する蓋体３０の方向を合わせることができる。
【００３７】
そして、前記のように、収容した果菜類Ｂの茎部下端側と対向する側壁１２ａが底になるように横向きに立てた状態にして、内部の果菜類Ｂを立て姿勢に保持し（図１０）、出荷、輸送及び保管等の物流に供する。このとき、前記コーナー部の嵌合凸部２２と嵌合凹部３２との嵌合により、蓋体３０は妄りに開蓋することなく被着状態に良好に保持される。
【００３８】
また、開蓋操作の際には、少なくとも一辺部の前記切り欠き部２３と垂下片３３との嵌合部外側における一方のコーナー部寄りの位置、つまりはコーナー部の嵌合凸部２２と嵌合凹部３２とによる嵌合構造に近い位置の指掛用凹部４２に指を掛けて蓋体を持ち上げることにより、コーナー部の嵌合構造の部分に効果的に持ち上げ力を作用させることができ、コーナー部の嵌合構造を比較的容易に離脱させることができる。しかも、蓋体３０の辺部を垂下片３３の部分で持ち上げることになるため、蓋体３０のコーナー部に過度に強い力がかからず、仮にコーナー部がフラットな板状をなすものであっても、繰り返し開蓋操作しても、容易に割れや破損が生じることがない。
【符号の説明】
【００３９】
Ａ…発泡樹脂製容器、Ｂ…果菜類、１０…容器本体、１０ａ…開口端部、１１…底部、１２ａ，１２ｂ…側壁、１２ｂ’…内面、１３ａ，１３ｂ…側壁、１４…溝、１５…凸起、１６…溝、１７…凸面部、１８…凹溝、１９…凹条、２０…凸条、２２…嵌合凸部、２３…切欠き部、２４…凸縁、２５…段部、２６…凹部、３０…蓋体、３０ａ…周縁部、３１…内方部、３２…嵌合凹部、３３…垂下片、３４…凸縁、３５…段部、３６…溝、３７…凸面部、３８…凹溝、３９…凹部、４０…押さえ部材、４２…指掛用凹部。
【図１】
0003193796.tif 000003
【図２】
0003193796.tif 000004
【図３】
0003193796.tif 000005
【図４】
0003193796.tif 000006
【図５】
0003193796.tif 000007
【図６】
0003193796.tif 000008
【図７】
0003193796.tif 000009
【図８】
0003193796.tif 000010
【図９】
0003193796.tif 000011
【図１０】
0003193796.tif 000012